(57)【要約】      （修正有）【課題】部品の変更や交換を行うことなく、異なる混合方法を選択することができると共に、混合状態を調整しつつ内容物を容易に取り出すことが可能なポンプ付き二連式容器を提供する。【解決手段】胴体11cの下端に開口部を有し、内側に摺動可能な中皿12を配置することで口部11aに通じる充填空間R0を増減可能な容器10と、仕切壁を有し2つの口部が並列に装着されるベース13と、ヘッド15aにより駆動されるポンプ15と、回転可能なキャップ14とを備え、筒状部13dと筒状部14cとの間を液密に保持することで、ポンプ吸入口A４に通じる第1空間R1が形成されると共に、第2空間R2と第1空間との間を開閉する通路Pが形作られる溝及びスリットを設けることで、少なくとも一方の中皿の押し込みにより、異なる容器10に充填された内容物C1,C2が第１空間を介して流通することで内容物の混合を可能にした。【選択図】図４
2010274999.tif 000002
【特許請求の範囲】
【請求項１】
胴体の下端に開口部を有し当該開口部を通してその内側に摺動可能な中皿を配置することで口部に通じる充填空間を増減可能な容器と、当該容器の口部に通じる開口部が形成された仕切壁を有し２つの当該口部が並列に装着されるベースと、ヘッドの押し下げ及び復帰の繰り返しにより駆動されるポンプを有し、ベースから起立する装着筒との間を液密に保持しつつ当該装着筒に装着されるキャップとを備え、
ベースとキャップとの間に、ポンプの吸入口に通じると共に、少なくとも一方の容器の内側に配置された中皿の押し込みにより、異なる容器に充填された内容物が流通することで内容物の混合を可能にする空間を設けたことを特徴とするポンプ付き二連式容器。
【請求項２】
請求項１において、キャップを、ベースの装着筒との間を液密に保持しつつ当該装着筒の周りを回転可能なものとする一方、
第１空間を、ベースの仕切壁から起立する筒状部と、キャップから垂下する筒状部との間を液密に保持することで、その内側に形成すると共に、
２つの筒状部にそれぞれ、キャップの回転位置に応じて当該筒状部の相互間に、ベースの筒状部とキャップとで取り囲まれた第２空間と第１空間との間を開閉する通路が形作られる溝及びスリットを設け、更に、
仕切壁に形成した一方の容器に通じる開口部を、第１空間に通じさせる第１の開口部とすると共に、仕切壁に形成した他方の容器に通じる開口部を、第２空間に通じさせる第２の開口部としたことを特徴とするポンプ付き二連式容器。
【請求項３】
請求項１において、キャップを、ベースの装着筒との間を液密に保持しつつ当該装着筒の周りを回転可能なものとする一方、
第１空間を、ベースの仕切壁から起立する筒状部と、キャップから垂下する筒状部との間を液密に保持することで、その内側に形成すると共に、
２つの筒状部にそれぞれ、キャップの回転位置に応じて当該筒状部の相互間に、ベースの筒状部とキャップとで取り囲まれた第２空間と第１空間との間を開閉する通路が形作られる溝及びスリットを設け、更に、
仕切壁に形成した２つの容器に通じる開口部をそれぞれ、第２空間に通じさせる開口部としたことを特徴とするポンプ付き二連式容器。
【請求項４】
請求項１乃至３のいずれか１項において、容器を透視可能な材質で構成したことを特徴とするポンプ付き二連式容器。
【発明の詳細な説明】
【技術分野】
【０００１】
本発明は、２つの容器に個別に充填された内容物を混合可能なポンプ付き二連式容器に関するものである。
【背景技術】
【０００２】
従来の二連式容器としては、例えば、胴体の下端に開口部を有しその内側に摺動可能な中皿を配置することで口部に通じる充填空間を増減可能な容器と、当該容器の口部に通じる開口部が形成された仕切壁を有し２つの当該容器が並列に装着されるベースとを備え、２つの容器の内側に配置された中皿を同時に押し込むことによって、異なる容器に充填された内容物がベースの内側で混合された後、当該ベースの注出口を通して外界に取り出されるものがある（例えば、特許文献１参照。）。
【先行技術文献】
【特許文献】
【０００３】
【特許文献１】特開２００６−１５０２２９号公報
【発明の概要】
【発明が解決しようとする課題】
【０００４】
しかしながら、従来の二連式容器は、２つの中皿が同時に押し込むことで内容物の混合を実現するため、その混合方法が一義的に決められているに過ぎないため、異なる混合方法を選択したいときには適用できない。このため、異なる混合方法を選択するときには、二連式容器の構成部品を変更又は交換し、或いは、二連式容器そのものを交換する必要がある。
【０００５】
また、上述の二連式容器は、内容物を混合させる工程と、その後の内容物を取り出す工程とが、中皿の動きに同期して行われるため、混合状態を調整しつつ内容物を取り出すことが困難である。
【０００６】
本発明の目的とするところは、部品の変更や交換を行うことなく、異なる混合方法を選択することができると共に、混合状態を調整しつつ内容物を容易に取り出すことが可能なポンプ付き二連式容器を提供することにある。
【課題を解決するための手段】
【０００７】
本発明のポンプ付き二連式容器は、胴体の下端に開口部を有し当該開口部を通してその内側に摺動可能な中皿を配置することで口部に通じる充填空間を増減可能な容器と、当該容器の口部に通じる開口部が形成された仕切壁を有し２つの当該口部が並列に装着されるベースと、ヘッドの押し下げ及び復帰の繰り返しにより駆動されるポンプを有し、ベースから起立する装着筒との間を液密に保持しつつ当該装着筒に装着されるキャップとを備え、
ベースとキャップとの間に、ポンプの吸入口に通じると共に、少なくとも一方の容器の内側に配置された中皿の押し込みにより、異なる容器に充填された内容物が流通することで内容物の混合を可能にする空間を設けたことを特徴とするものである。
【０００８】
本発明に従えば、キャップを、ベースの装着筒との間を液密に保持しつつ当該装着筒の周りを回転可能なものとする一方、
第１空間を、ベースの仕切壁から起立する筒状部と、キャップから垂下する筒状部との間を液密に保持することで、その内側に形成すると共に、
２つの筒状部にそれぞれ、キャップの回転位置に応じて当該筒状部の相互間に、ベースの筒状部とキャップとで取り囲まれた第２空間と第１空間との間を開閉する通路が形作られる溝及びスリットを設け、更に、
仕切壁に形成した一方の容器に通じる開口部を、第１空間に通じさせる第１の開口部とすると共に、仕切壁に形成した他方の容器に通じる開口部を、第２空間に通じさせる第２の開口部とすることができる。
【０００９】
また、本発明に従えば、キャップを、ベースの装着筒との間を液密に保持しつつ当該装着筒の周りを回転可能なものとする一方、
第１空間を、ベースの仕切壁から起立する筒状部と、キャップから垂下する筒状部との間を液密に保持することで、その内側に形成すると共に、
２つの筒状部にそれぞれ、キャップの回転位置に応じて当該筒状部の相互間に、ベースの筒状部とキャップとで取り囲まれた第２空間と第１空間との間を開閉する通路が形作られる溝及びスリットを設け、更に、
仕切壁に形成した２つの容器に通じる開口部をそれぞれ、第２空間に通じさせる開口部とすることもできる。
【００１０】
更に、ベースに２つの口部を装着させるのに際しては、２つの容器を別体として構成することも、一体として構成することもできる。本発明に従えば、容器を透視可能な材質で構成することができる。透視可能な材質としては、例えば、透明又は半透明の材質からなるものが挙げられる。
【発明の効果】
【００１１】
本発明では、ベースとキャップとの間に、ポンプの吸入口に通じると共に、少なくとも一方の容器の内側に配置された中皿の押し込みにより、異なる容器に充填された内容物が流通することで内容物の混合を可能にする第１空間を設けることで、２つの容器の内容物を自由に流通させることができる。これにより、ポンプを操作すれば、好みに応じた混合物を取り出すことができる。
【００１２】
例えば、ベースの仕切壁から起立する筒状部と、キャップから垂下する筒状部との間を液密に保持することで、その内側にポンプの吸入口に通じる第１空間が形成されると共に、２つの筒状部にそれぞれ、キャップの回転位置に応じて当該筒状部の相互間に、ベースの筒状部とキャップとで取り囲まれた第２空間と第１空間との間を開閉する通路が形作られる溝及びスリットを設ける。
【００１３】
このとき、仕切壁に形成した一方の容器に通じる開口部を第１空間に通じさせる第１の開口部とすると共に、仕切壁に形成した他方の容器に通じる開口部を第２空間に通じさせる第２の開口部とすれば、キャップの回転によって第２空間と第１空間との間の通路が閉じられるときには、一方の容器の口部のみが第１空間に通じるので、ヘッドの押し下げ及び復帰を繰り返してポンプを駆動させると、一方の容器の内容物のみをヘッドに形成した注出口から取り出すことができる。この場合、例えば、容器に充填された内容物が色彩の異なるものであると、取り出される内容物の色彩はいずれか一方の内容物の色彩を呈する。
【００１４】
これに対し、キャップの回転によって第２空間と第１空間との間の通路が開かれるときには、２つの容器の口部の両方が第１空間に通じるので、ヘッドの押し下げ及び復帰を繰り返してポンプを駆動させると、２つの容器に充填された内容物を第１の空間で混合させながらヘッドに形成した注出口から取り出すことができる。この場合、例えば、容器に充填された内容物が色彩の異なるものであると、取り出される内容物の色彩は２つの内容物の色彩が交じり合った色彩を呈する。
【００１５】
加えて、キャップの回転によって第２空間と第１空間との間の通路が開かれるときに、少なくとも一方の容器に配置された中皿を押し込めば、この一方の容器に充填された内容物が第１空間を介して他方の容器に向かって流通することで、他方の容器に充填された内容物との混合が可能になる。
【００１６】
中皿の押し込みは、少なくとも１度であればよいが、その後、他方の容器に配置された中皿を押し込めば、この他方の容器で混合された内容物が第１空間を介して再び一方の容器に向かって流通することで、内容物の混合が更に良好になる。即ち、一方の容器に配置された中皿の押し込みと、他方の容器に配置された中皿の押し込みとを繰り返せば、内容物の混合状態を好みに応じて調整することができる。
【００１７】
これにより、ヘッドの押し下げ及び復帰を繰り返してポンプを駆動させると、使用者の好みに応じて調整された混合物をヘッドに形成した注出口から取り出すことができる。この場合、例えば、容器に充填された内容物が色彩の異なるものであると、取り出される内容物の色彩は、２つの内容物の色彩が交じり合った色彩を呈するものの、中皿を操作しない場合に比べて、より複雑な色彩を呈する。この複雑な色彩は、中皿を操作する回数が多い程、複雑な色彩を呈する。
【００１８】
或いは、ベースの仕切壁から起立する筒状部と、キャップから垂下する筒状部との間を液密に保持することで、その内側にポンプの吸入口に通じる第１空間が形成されると共に、２つの筒状部にそれぞれ、キャップの回転位置に応じて当該筒状部の相互間に、ベースの筒状部とキャップとで取り囲まれた第２空間と第１空間との間を開閉する通路が形作られる溝及びスリットを設けたとき、仕切壁に形成した２つの容器に通じる開口部をそれぞれ第２空間に通じさせる開口部とすれば、キャップの回転によって第２空間と第１空間との間の通路が開かれるときには、２つの容器の口部の両方が第１空間に通じるので、ヘッドの押し下げ及び復帰を繰り返してポンプを駆動させると、２つの容器に充填された内容物を第１の空間で混合させながらヘッドに形成した注出口から取り出すことができる。この場合も、例えば、容器に充填された内容物が色彩の異なるものであると、取り出される内容物の色彩は２つの内容物の色彩が交じり合った色彩を呈する。
【００１９】
加えて、少なくとも一方の容器に配置された中皿を押し込めば、この一方の容器に充填された内容物が第１空間を介して他方の容器に向かって流通することで、他方の容器に充填された内容物との混合が可能になる。
【００２０】
この場合も、中皿の押し込みは、少なくとも１度であればよいが、その後、他方の容器に配置された中皿を押し込めば、この他方の容器で混合された内容物が第１空間を介して再び一方の容器に向かって流通することで、内容物の混合が更に良好になる。即ち、この場合も、一方の容器に配置された中皿の押し込みと、他方の容器に配置された中皿の押し込みとを繰り返せば、内容物の混合状態を好みに応じて調整することができる。
【００２１】
これにより、ヘッドの押し下げ及び復帰を繰り返してポンプを駆動させると、使用者の好みに応じて調整された混合物をヘッドの注出口から取り出すことができる。この場合も、例えば、容器に充填された内容物が色彩の異なるものであると、取り出される内容物の色彩は、２つの内容物の色彩が交じり合った色彩を呈するものの、中皿を操作しない場合に比べて、より複雑な色彩を呈する。この複雑な色彩も、中皿を操作する回数が多い程、複雑な色彩を呈する。
【００２２】
これに対し、キャップの回転によって第２空間と第１空間との間の通路が閉じられるときには、中皿の押し込みは許容されるものの、ヘッドの押し下げ及び復帰を繰り返してポンプを駆動させても、内容物や混合物は一切ヘッドの注出口から取り出されない。これにより、ヘッドを誤って操作しても、内容物や混合物は誤って取り出されることなく済む。
【００２３】
加えて、本発明は、ヘッドの押し下げ及び復帰を繰り返してポンプを駆動させることにより内容物や混合物を取り出す構成であるため、中皿を押し込んで内容物を混合させる工程と、その後の内容物を取り出す工程とを中皿の動きと無関係に行うことができる。これにより、本発明によれば、上述のとおり、混合状態を調整しつつ内容物を取り出すことができる。
【００２４】
即ち、本発明によれば、容器相互間での内容物の流通や、通路の切り替えにより、混合させる量やスピードを切り替えることができる。これにより、ヘッドから取り出される混合物は、混合させる量やスピードによって、ストライプ模様やマーブル模様等、色彩を徐々に変化させ、或いは、急速に変化させることで、自在な変色が可能になる。
【００２５】
従って、本発明によれば、部品の変更や交換を行うことなく、異なる混合方法を選択することができると共に、混合状態を調整しつつ内容物を容易に取り出すことが可能なポンプ付き二連式容器を提供することができる。
【００２６】
また、容器を透視可能な材質で構成すれば、内容物の状態を目視することができるので、上述した効果に加え、視覚的な効果をも併せて高めることができる。
【図面の簡単な説明】
【００２７】
【図１】本発明の第１の形態にあって、内容物の混合が行われる前の状態を一部断面で示す側面図である。
【図２】(a)〜(c)はそれぞれ、同形態にて、第２空間と第１空間との間を開閉する通路を形成する筒状部の組み付け状態を示す要部斜視図、ベースの仕切壁から起立する筒状部を示す要部斜視図及び、キャップから垂下する筒状部を示す要部斜視図である。
【図３】(a),(b)はそれぞれ、同形態にて、ベースとキャップとの間に形成された通路が閉じられた状態及び開かれた状態を一部断面で示す要部拡大側面図である。
【図４】同形態にて、内容物の混合が行われる過程を一部断面で示す側面図である。
【図５】同形態にて、ヘッドを操作したことで、混合物が取り出される過程を一部断面で示す側面図である。
【図６】本発明の第２の形態にあって、内容物の混合が行われる前の状態を一部断面で示す側面図である。
【図７】(a),(b)はそれぞれ、同形態にて、ベースとキャップとの間に形成された通路が閉じられた状態及び開かれた状態を一部断面で示す要部拡大側面図である。
【図８】同形態にて、内容物の混合が行われる過程を一部断面で示す側面図である。
【図９】同形態にて、ヘッドを操作したことで、混合物が取り出される過程を一部断面で示す側面図である。
【発明を実施するための形態】
【００２８】
以下、図面を参照して、本発明の一形態を詳細に説明する。
【００２９】
図１〜５に示す本発明の第１の形態であるポンプ付き二連式容器１００のうち、符号１０は、中空の容器本体１１と、この容器本体１１の内側に摺動可能に配置された中皿１２とを有する容器である。容器本体１１は、口部１１ａと肩部１１ｂを介して一体に繋がる胴体１１ｃと、胴体１１ｃに固定される底部１１ｄからなる。底部１１ｄは、その下端に開口部Ａ1を有し当該開口部Ａ1を通してその内側に摺動可能に配置された中皿１２を進退させることで、口部１１ａに通じる充填空間Ｒ0を増減させることができる。
【００３０】
なお、本形態では、２つの容器１０を一体に連結することで、２つの口部１１ａを有する一体物の容器として構成しているが、２つの容器１０をそれぞれ、別体として構成することも可能である。
【００３１】
符号１３は、口部１１ａに通じる開口部Ａ2，Ａ3が形成された仕切壁１３ａを有し２つの口部１１ａがそれぞれ並列に装着されるベースである。仕切壁１３ａからは、２つの装着筒１３ｂ1が垂下し、この装着筒１３ｂ1がそれぞれ、口部１１ａにアンダーカット嵌合されることで、２つの口部１１ａはそれぞれ、ベース１３に装着される。また、ベース１３は、装着筒１３ｂ1と共に、口部１１ａを挟持するシール筒１３ｂ2を有する。これにより、口部１１ａはそれぞれ、ベース１３に対して液密に保持される。
【００３２】
符号１４は、ポンプ１５を有し、ベース１３を基点に軸線Ｏ周りに回転可能なキャップである。キャップ１４は、ベース１３から起立する装着筒１３ｃを取り囲み、当該装着筒１３ｃに対して回転可能にアンダーカット嵌合される装着筒１４ａ1を有する。
【００３３】
また、キャップ１４は、その装着筒１４ａ1と共に、ベース側の装着筒１３ｃを挟持するシール筒１４ａ2を有する。これにより、キャップ１４は、ベース側の装着筒１３ｃとの間を液密に保持しつつ当該装着筒１３ｃの周りを回転することができる。
【００３４】
符号１５は、ヘッド１５ａを有し、キャップ１４に固定されるポンプである。ポンプ１５は、ヘッド１５ａの押し下げ及び復帰の繰り返しにより駆動されるポンプ本体１５ｂを有する。ポンプ本体１５ｂの構成としては、例えば、図１に示すように、シリンダ１５ｃ内にプランジャやピストン等が内蔵された既存のものが挙げられる。
【００３５】
また、本形態では、ベース１３の仕切壁１３ａから筒状部１３ｄが一体に起立する。また、これに対応するように、キャップ１４からも、筒状部１４ｃが一体に垂下する。筒状部１４ｃは、筒状部１３ｄの外周面１３ｆを取り囲む内周面１４ｆを有し、筒状部１３ｄとの間を液密に保持する。これにより、筒状部１３ｄの内側には、ポンプ１５の吸入口Ａ4に通じる第１空間Ｒ1が形成される。
【００３６】
加えて、本形態では、筒状部１３ｄには、図２(a)に示すように、その上端に開放される２つのスリットＳが形成されている。また、これに対応するように、筒状部１４ｃの内周面１４ｆには、図２(b)に示すように、その下端に開放される２つの溝Ｇが形成されている。これにより、キャップ１４を回転させると、その回転位置に応じて筒状部１３ｄ，１４ｃの相互間に、図３等に示すように、筒状部１３ｄとキャップ１４とで取り囲まれた第２空間Ｒ2と第１空間Ｒ1との間を開閉する通路Ｐが形作られる。
【００３７】
更に、本形態では、仕切壁１３ａに形成した一方の開口部Ａ2を第１空間Ｒ1に通じさせる第１の開口部とすると共に、仕切壁１３ａに形成した他方の開口部Ａ3を第２空間に通じさせる第２の開口部（Ａ3）とする。
【００３８】
本形態では、ベース１３の仕切壁１３ａから起立する筒状部１３ｄと、キャップ１４から垂下する筒状部１４ｃとの間を液密に保持することで、その内側にポンプ１５の吸入口Ａ4に通じる第１空間Ｒ1が形成されると共に、２つの筒状部１３ｄ，１４ｃにそれぞれ、キャップ１４の回転位置に応じて当該筒状部１３ｄ，１４ｃの相互間に、ベース１３の筒状部１３ｄとキャップ１４とで取り囲まれた第２空間Ｒ2と第１空間Ｒ1との間を開閉する通路Ｐが形作られる溝Ｇ及びスリットＳを設けている。
【００３９】
このため、本形態の如く、仕切壁１３ａに形成した一方の容器１０に通じる開口部Ａ2を第１空間Ｒ1に通じさせる第１の開口部とすると共に、仕切壁１３ａに形成した他方の容器１０に通じる開口部Ａ3を第２空間Ｒ2に通じさせる第２の開口部とすれば、キャップ１４の回転によって第２空間Ｒ2と第１空間Ｒ1との間の通路Ｐが閉じられるときには、図１や図３(a)に示すように、一方の容器１０の口部１１ａのみが第１空間Ｒ1に通じるので、ヘッド１５ａの押し下げ及び復帰を繰り返してポンプ１５を駆動させると、一方の容器１０の内容物Ｃ1のみをヘッド１５ａに形成した注出口Ａ5から取り出すことができる。この場合、例えば、容器１０に充填された内容物Ｃ1，Ｃ2が色彩の異なるものであると、取り出される色彩は内容物Ｃ1，Ｃ2のいずれか一方の色彩を呈する。
【００４０】
これに対し、図３(b)等に示すように、キャップ１４の回転によって第２空間Ｒ2と第１空間Ｒ1との間の通路Ｐが開かれるときには、２つの容器１０の口部１１ａの両方が第１空間Ｒ1に通じるので、ヘッド１５ａの押し下げ及び復帰を繰り返してポンプ１５を駆動させると、２つの容器１０に充填された内容物Ｃ1，Ｃ2を第１の空間Ｒ1で混合させながらヘッド１５ａに形成した注出口Ａ5から取り出すことができる。この場合、例えば、容器１０に充填された内容物Ｃ1，Ｃ2が色彩の異なるものであると、取り出される混合物Ｃ3の色彩は２つの内容物Ｃ1，Ｃ2の色彩が交じり合った色彩を呈する。
【００４１】
加えて、キャップ１４の回転によって第２空間Ｒ2と第１空間Ｒ1との間の通路Ｐが開かれるときに、少なくとも、例えば、図４に示すように、一方の容器１０に配置された中皿１２を押し込めば、この一方の容器１０に充填された内容物Ｃ1が第１空間Ｒ1を介して他方の容器１０に向かって流通することで、他方の容器１０に充填された内容物Ｃ2との混合が可能になる。
【００４２】
なお、符号２０は、中皿１２の押し込みを行うための押圧棒である。押圧棒２０は、開口部Ａ1を貫通して中皿１２を押し込むロッド２１に把手２２を設けてなる。但し、中皿１２の押し込みを行うための手段はこれに限定されるものではない。
【００４３】
中皿１２の押し込みは、上述のように、少なくとも１度であればよいが、その後、他方の容器１０に配置された中皿１２を押し込めば、この他方の容器１０で混合された内容物Ｃ3（Ｃ1＋Ｃ2）が第１空間Ｒ1を介して再び一方の容器１０に向かって流通することで、内容物Ｃ1，Ｃ2の混合が更に良好になる。即ち、一方の容器１０に配置された中皿１２の押し込みと、他方の容器１０に配置された中皿１２の押し込みとを繰り返せば、内容物Ｃ1，Ｃ2の混合状態を好みに応じて調整することができる。
【００４４】
これにより、ヘッド１５ａの押し下げ及び復帰を繰り返してポンプ１５を駆動させると、図５に示すように、使用者の好みに応じて調整された混合物Ｃ3をヘッド１５ａに形成した注出口Ａ5から取り出すことができる。この場合も、例えば、容器１０に充填された内容物Ｃ1，Ｃ2が色彩の異なるものであると、取り出される混合物Ｃ3の色彩は、２つの内容物Ｃ1，Ｃ2の色彩が交じり合った色彩を呈するものの、中皿１２を操作しない場合に比べて、より複雑な色彩を呈する。この複雑な色彩は、中皿１２を操作する回数が多い程、複雑な色彩を呈する。
【００４５】
加えて、本形態では、ヘッド１５ａの押し下げ及び復帰を繰り返してポンプ１５を駆動させることにより内容物Ｃ1，Ｃ2や混合物Ｃ3を取り出す構成であるため、中皿１２を押し込んで内容物Ｃ1，Ｃ2を混合させる工程と、その後の内容物Ｃ1，Ｃ2を取り出す工程とを中皿１２の動きと無関係に行うことができる。これにより、本形態によれば、上述のとおり、混合状態を調整しつつ内容物Ｃ1，Ｃ2を取り出すことができる。
【００４６】
従って、本形態によれば、部品の変更や交換を行うことなく、異なる混合方法を選択することができると共に、混合状態を調整しつつ内容物Ｃ1，Ｃ2を容易に取り出すことが可能なポンプ付き二連式容器を提供することができる。
【００４７】
次に、図６〜９には、本発明の第２の形態であるポンプ付き二連式容器２００を示す。  本形態では、仕切壁１３ａに形成した２つの容器１０に通じる開口部をそれぞれ第２空間Ｒ2に通じさせる第２の開口部Ａ3とする。
【００４８】
本形態も、第１の形態と同様、ベース１３の仕切壁１３ａから起立する筒状部１３ｄと、キャップ１４から垂下する筒状部１４ｃとの間を液密に保持することで、その内側にポンプ１５の吸入口Ａ4に通じる第１空間Ｒ1が形成されると共に、２つの筒状部１３ｄ，１４ｃにそれぞれ、キャップ１４の回転位置に応じて当該筒状部１３ｄ，１４ｃの相互間に、ベース１３の筒状部１３ｄとキャップ１４とで取り囲まれた第２空間Ｒ2と第１空間Ｒ1との間を開閉する通路Ｐが形作られる溝Ｇ及びスリットＳを設けている。
【００４９】
このため、本形態の如く、仕切壁１３ａに形成した２つの容器１０に通じる開口部をそれぞれ第２空間Ｒ2に通じさせる開口部Ａ3とすれば、キャップ１２の回転によって第２空間Ｒ2と第１空間Ｒ1との間の通路Ｐが開かれるときには、２つの容器１０の口部１１ａの両方が第１空間Ｒ1に通じるので、ヘッド１５ａの押し下げ及び復帰を繰り返してポンプ１５を駆動させると、２つの容器１０に充填された内容物Ｃ1，Ｃ2を第１の空間Ｒ1で混合させながらヘッド１５ａに形成した注出口Ａ5から取り出すことができる。この場合も、例えば、容器１０に充填された内容物Ｃ1，Ｃ2が色彩の異なるものであると、取り出される混合物Ｃ3の色彩は２つの内容物Ｃ1，Ｃ2の色彩が交じり合った色彩を呈する。
【００５０】
加えて、少なくとも、図８に示すように、一方の容器１０に配置された中皿１２を押し込めば、この一方の容器１０に充填された内容物Ｃ1が第１空間Ｒ1を介して他方の容器１０に向かって流通することで、他方の容器１０に充填された内容物Ｃ2との混合が可能になる。
【００５１】
この場合も、中皿１２の押し込みは、少なくとも１度であればよいが、その後、他方の容器１０に配置された中皿１２を押し込めば、この他方の容器１０で混合された内容物Ｃ3（Ｃ1＋Ｃ2）が第１空間Ｒ1を介して再び一方の容器１０に向かって流通することで、内容物Ｃ1，Ｃ2の混合が更に良好になる。即ち、この場合も、一方の容器１０に配置された中皿１２の押し込みと、他方の容器１０に配置された中皿１２の押し込みとを繰り返せば、内容物Ｃ1，Ｃ2の混合状態を好みに応じて調整することができる。
【００５２】
これにより、ヘッド１５ａの押し下げ及び復帰を繰り返してポンプ１５を駆動させると、使用者の好みに応じて調整された混合物をヘッド１５ａの注出口Ａ5から取り出すことができる。この場合も、例えば、容器１０に充填された内容物Ｃ1，Ｃ2が色彩の異なるものであると、取り出される混合物Ｃ3の色彩は、２つの内容物Ｃ1，Ｃ2の色彩が交じり合った色彩を呈するものの、中皿１２を操作しない場合に比べて、より複雑な色彩を呈する。この複雑な色彩も、中皿１２を操作する回数が多い程、複雑な色彩を呈する。
【００５３】
これに対し、キャップ１４の回転によって第２空間Ｒ2と第１空間Ｒ1との間の通路Ｐが閉じられるときには、中皿１２の押し込みは許容されるものの、ヘッド１５ａの押し下げ及び復帰を繰り返してポンプ１５を駆動させても、内容物Ｃ1，Ｃ2や混合物Ｃ3は一切ヘッド１５aの注出口Ａ5から取り出されない。これにより、ヘッド１５ａを誤って操作しても、内容物Ｃ1，Ｃ2や混合物Ｃ3は誤って取り出されることなく済む。
【００５４】
加えて、本形態も、第１の形態と同様、ヘッド１５ａの押し下げ及び復帰を繰り返してポンプ１５を駆動させることにより内容物Ｃ1，Ｃ2や混合物Ｃ3を取り出す構成であるため、中皿１２を押し込んで内容物Ｃ1，Ｃ2を混合させる工程と、その後の内容物Ｃ1，Ｃ2を取り出す工程とを中皿１２の動きと無関係に行うことができる。これにより、本形態によれば、上述のとおり、混合状態を調整しつつ内容物Ｃ1，Ｃ2を取り出すことができる。
【００５５】
即ち、本形態によれば、容器１０の相互間での内容物Ｃ1，Ｃ2の流通や、通路Ｐの切り替えにより、混合させる量やスピードを切り替えることができる。これにより、ヘッド１５ａから取り出される混合物Ｃ3は、混合させる量やスピードによって、ストライプ模様やマーブル模様等、色彩を徐々に変化させ、或いは、急速に変化させることで、自在な変色が可能になる。
【００５６】
従って、本形態によっても、部品の変更や交換を行うことなく、異なる混合方法を選択することができると共に、混合状態を調整しつつ内容物Ｃ1，Ｃ2を容易に取り出すことが可能なポンプ付き二連式容器を提供することができる。
【００５７】
また、本発明に従えば、上述の第１の形態及び第２の形態はいずれも、容器１０の胴体１１ｂを透視可能な透明又は半透明の材質で構成することができる。この場合、内容物Ｃ1，Ｃ2の状態を目視することができるので、上述した効果に加え、視覚的な効果をも併せて高めることができる。
【００５８】
上述したところは、本発明の一形態を示したに過ぎず、特許請求の範囲内において、種々の変更を加えることができる。例えば、本発明に係る、溝Ｇ及びスリットＳは、互いに入れ替えて構成することができる。また、本発明に係るポンプは、ヘッドの押し下げ及び復帰の繰り返しにより駆動されるものであれば、本形態のようなプランジャタイプのポンプに限定されるものではない。また、上述の各形態に採用された各構成はそれぞれ、互いに適宜組み合わせることができる。
【産業上の利用可能性】
【００５９】
本発明としては、例えば、化粧料や液体洗剤等を内容物する容器として採用することができる。また、本発明に従えば、２つの内容物を混合により取り出すことを前提するものに限定されることなく、同種の内容物を混合により取り出すものとしてもよい。
【符号の説明】
【００６０】
１０    容器
１１    容器本体
１１ａ  口部
１１ｂ  肩部
１１ｃ  胴体
１１ｄ  底部
１２    中皿
１３    ベース
１３ａ1 ベース側装着筒
１３ａ2 ベース側シール筒
１４    キャップ
１４ａ1 キャップ側装着筒
１４ａ2 キャップ側シール筒
１５    ポンプ
１５ａ  ヘッド
１５ｂ  ポンプ本体
１５ｃ  ポンプシリンダ
１００  ポンプ付き二連式容器
２００  ポンプ付き二連式容器
Ａ1     中皿押し下げ用開口部
Ａ2     第１開口部
Ａ3     第２開口部
Ａ4     ポンプ吸入口
Ａ5     注出口
Ｃ1,Ｃ2 内容物
Ｃ3     混合物
Ｇ      溝
Ｐ      通路
Ｒ1     第１空間
Ｒ2     第２空間
Ｓ      スリット
【図１】
2010274999.tif 000003
【図２】
2010274999.tif 000004
【図３】
2010274999.tif 000005
【図４】
2010274999.tif 000006
【図５】
2010274999.tif 000007
【図６】
2010274999.tif 000008
【図７】
2010274999.tif 000009
【図８】
2010274999.tif 000010
【図９】
2010274999.tif 000011